(57)【要約】      （修正有）【課題】安価にホームドアを設置すると共により安全を確保するためのホームドアを提供する。【解決手段】ホームドア１枚１枚が単独で動作できるようにして、設置が単一工種で済む様に工夫している。電源供給をドアがクローズした状態で隣接したホームドア装置から受ける様にして、その蓄積した電力で電源供給を受ける事無く、開閉サイクル動作が出来る様にした。開閉動作指示及び開閉確認信号をアドホックモード通信で行い、各ドアの開閉指示及び開閉確認は伝言ゲーム式に行う。この２つを行う事により、特定の１枚のドアに電力を供給すれば、残りの数十枚のドアには電源工事や制御工事が不要になる。また、装置を簡略化するために、全て低電圧直流によって駆動することもできる。更に、ドア閉により電力供給することが本システムの前提になる為、より以上に、確実にドアが閉まっていることを確認するのが前提となる。【選択図】図１
0003172441.tif 000002
【実用新案登録請求の範囲】
【請求項１】
ドア先端部に通電電極を付けたホームドア
【請求項２】
ドア先端部に導電装置を付けたホームドア
【請求項３】
蓄電キャパシタを付けたホームドア
【請求項４】
アドホック通信装置を付けたホームドア
【請求項５】
請求項１と請求項４を備えたホームドア
【請求項６】
請求項２と請求項４を備えたホームドア
【請求項７】
ドア通電確認装置を備えた請求項５のホームドア
【考案の詳細な説明】
【技術分野】
【０００１】  本考案は近年転落事故等の防止で必須対策とされている、ホームドアに関するものです。ホームドアはホーム上の乗客の線路への転落を防ぐ最善策として多数利用されていますが、工事に大変な手数が掛り、なかなか普及出来ずにあります。本考案は安価にホームドアを設置すると共により安全を確保するためのものです。
【背景技術】
【０００２】  最近はホーム転落事故防止の為に、多数の駅にホームドアを設置しています。しかしながら、その費用は莫大で、思う様に設置出来ていないのが実情です。ホームドアそのものは、従来からあった引戸式ドアですが、ホーム上に電車のドア位置に合わせて数メートルおきにこのドアを付けて、それを連結車両の総長さだけ付けなくてはなりません。そしてそれらのドアを連動して動かす為の、電装装置工事も重なり、多数の職種による工事の日程調整等で工事費用ばかりでなく工事管理コストも増大すると共に、据付日数もかなり掛っています。また、連動しているようでも、ドア先端部が本当に合致しているかどうかわからない心配点もあります。
【考案の開示】
【考案が解決しようとする課題】
【０００３】  従来、ホームドアは乗客の転落防止の為に、電車が到着した時だけにドアの開閉を行うものです。それにもかかわらず、安全確認表示の為も含めて各ドア筺体に電源線と信号線は２４時間常時接続されている必要があります。従って、ホームドアの設置には、ドア筺体の取付け工事工事のほか、電気工事と制御工事が必要とされています。そのために、設置工事は多業種が関わり、工事期間が長引くと共に工事費もかさんでいます。本考案では、蓄電システムと通信システムを使うことにより、電気系工事を無くします。また、現状センサー等にてドア閉止状態を位置確認しているものの、ドア折れ曲がり等でドアが閉まっていない事は確認出来ませんが、本考案によるシステムは隣接ドアから直接電源を受けられない限り構成そのものが成り立たない為、隣接のドア先端部がしっかり相手方と組み合わされて閉まっている事を副次的効果として確認できます。
【課題を解決するための手段】
【０００４】  本考案により、電気工事をせずにホームドアを設置する為には電源と制御の２つの電気系を工夫しなくてはなりません。その１は電源です。ホームドア筺体を１セットづづ独立させるために、ドアが閉まって隣のドアと接している時に隣のドアから電源を取り、蓄積しておき、その蓄積電力を開閉に使います。その２は開閉制御信号をゲートが開いてお互いが接触していない時にもアドホック通信を利用して、伝言ゲームの様に送る様にします。まず、大きな電力を必要とするのはドアの開閉の瞬間だけであるのに注目すると共に、各ドアが閉まっている時に接触している点に注目して、各ドアの閉状態時に常時通電して蓄電し、開く時には各ドア筺体内の蓄電電力によって動作させることを考えて、各ドアへの電力供給工事を無くしました。また、その蓄電電力はドアの開閉だけでなく、動作確認の為の制御電源にも利用します。状態監視や制御にはアドホック通信を使って、伝言ゲーム式に隣接するホームドア筺体に伝送する方式として、各ドア筺体の接続が切れている場合にも通信を確保しました。従って、本考案によればホームドアは設置工事を行うだけで電気工事をすることなく完成します。
【考案の効果】
【０００５】  本考案による、ホームドアは設置するだけで、電気、制御工事が不要となるため、従来の設置方法による、複数職種に渡る工数の削減と共に、それに伴う工期の短縮と費用の節約が出来ます。また、通常状態である、ドア閉では常時通電されているため、従来のシステムと同等の信頼性が得られますし、万一、開状態のまま不調になった場合にも、手動作業でドアを閉じれば、通電再開出来ますので、システム的に従来のものと比較して複雑になることはありません。また、ドアを通しての通電がシステムの原点にあるため、従来のシステム以上にドア閉の実確認が要求されるため、結果的にドア閉の不調を確認し易くなる副次的効果があります。また、キャパシタを蓄電装置として利用した低電圧直流動作にした場合、変換器等の部品点数を減らすことが出来ます。
【考案を実施するための最良の形態】
【０００６】  本考案を示す為に、図１にホームドアの構成を示します。ホームドアは通常のものと同様に設置されます。ドア（１）の先端には給電電極（２）と受電電極（３）を交互に取付ます。なお、給電電極（２）、受電電極（３）はドア開放時に突起が乗客等に引っ掛かる事が無い様に突出しないように取付ける事が出来ます。また、誘導電源による非接触の誘導電極にすることも出来ます。本説明では蓄電変換装置等の複雑な機構を使わず、全て低電圧直流を利用してシステムをシンプルにした例を示します。ドア筺体（４）には蓄電装置（５）を取付けます。これによりドアが閉状態になっている時には常時、隣接ドアを通してドア筺体（４）に電力の供給を受けます。１つのメインとなるメインドア筺体（９）に電力を供給することを中心として、電気回路的には図２に示す通り、蓄電装置（５）が並列に繋がった形になります。理論的にはドア１回の開閉サイクルが出来れば、次の蓄電が出来るので、キャパシタを利用した瞬時蓄電を使う事により、装置コストとメンテナンスコストを下げる事も出来ますし、開閉動作速度に厳しい制約が無い為、駆動モータ（７）をキャパシタからの直流電源を極性切替リレー（１２）により直動してドアを開閉することも可能です。次にメインドア筺体（９）のメインドア操作盤（１０）を中心に制御装置（８）は、それぞれの駆動モータ（７）と同じ蓄電装置（５）から電源を取り、通信装置（６）により赤外線方式や無線方式によるアドホック通信を行い、メインドア操作盤（１０）に伝えられた閉信号を制御装置（８）で駆動モータ（７）に伝えると共に伝言ゲーム式に各ドア筺体（４）伝え、各ホームドアに動作させ、逆に開閉完了信号の返信を受信します。また、制御装置（８）で受電を演算確認して受電センサーの代用としてドア閉を確認し、すなわち完全なドア閉を確認します。
【図面の簡単な説明】
【図１】ホームドア構成図
【図２】電気接続図
【符号の説明】（１）はドア
（２）は給電電極
（３）は受電電極
（４）はドア筺体
（５）は蓄電装置
（６）は通信装置
（７）は駆動モータ
（８）は制御装置
（９）はメインドア筺体
（１０）はメインドア操作盤
（１１）はドア開閉確認センサー
（１２）は極性切替リレー
【図１】
0003172441.tif 000003
【図２】
0003172441.tif 000004
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
ホームドアが閉じた時に互いに接触するエッジ部に一方のドアには他方のドアに向かって突き出す通電電極を取り付け、他方のドアにはそれを受ける凹型の通電電極を取り付け、ドアが閉じた時に互いに接触するホームドア。
【請求項２】
通電電極に換えて電磁誘導型の導電装置を付けた請求項１のホームドア。
【請求項３】
駆動動力用蓄電キャパシタを備えた請求項１のホームドア
【請求項４】
駆動動力用蓄電キャパシタを備えた請求項２のホームドア
【請求項５】
ドア情報管理用アドホック通信装置を備えた請求項１のホームドア
【請求項６】
ドア情報管理用アドホック通信装置を備えた請求項２のホームドア
【請求項７】
ドア通電確認表示装置を備えた請求項２のホームドア
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
ホームドアが閉じた時に互いに接触するエッジ部に一方のドアには他方のドアに向かって突き出す通電電極を取り付け、他方のドアにはそれを受ける凹型の通電電極を取り付け、ドアが閉じた時に互いに接触した状態で通電して電力を隣接ドアに伝えるホームドア。
【請求項２】
ホームドアが閉じた時に互いに接触する両ドアのエッジ部にそれぞれ電磁誘導型の導電装置を取り付け、ドアが閉じた時に互いに接触した状態で通電して電力を隣接ドアに伝えるホームドア。
【請求項３】
通電電極から受けた電力をドアケース内の駆動動力用蓄電キャパシタに蓄える請求項１のホームドア
【請求項４】
導電装置から受けた電力をドアケース内の駆動動力用蓄電キャパシタに蓄える請求項２のホームドア
【請求項５】
ドアケース内で検知したドア開閉位置、蓄電容量情報を隣接ホームドアに伝えるアドホック通信装置を備えた請求項１のホームドア
【請求項６】
ドアケース内で検知したドア開閉位置、蓄電容量情報を隣接ホームドアに伝えるアドホック通信装置を備えた請求項２のホームドア
【請求項７】
ドア通電確認表示装置を備えた請求項２のホームドア